(57)【要約】【課題】無機塩濃度が低い場合でも良好な増粘効果を示す界面活性剤組成物を提供する。【解決手段】下記一般式（１）で表される化合物及び下記一般式（２）で表される化合物を含有する界面活性剤組成物。              Ｒ1Ｏ−（ＥＯ）mＳＯ3Ｍ          （１）              Ｒ2Ｏ−（ＡＯ）nＳＯ3Ｍ          （２）（式中、Ｒ1とＲ2は同一又は異なっていても良い炭素数８〜２４のアルキル基を示し、ＥＯはエチレンオキシ基、ＡＯは炭素数３もしくは４のアルキレンオキシ基である。ｍはエチレンオキサイドの平均付加モル数を示す０≦ｍ≦３の数である。ｎはアルキレンオキサイドの平均付加モル数を示す０＜ｎ≦３の数である。Ｍは陽イオンである。）【選択図】なし【特許請求の範囲】
【請求項１】
下記一般式（１）及び下記一般式（２）で表される化合物を混合して得られる界面活性剤組成物。
Ｒ1Ｏ−（ＥＯ）mＳＯ3Ｍ          （１）
Ｒ2Ｏ−（ＡＯ）nＳＯ3Ｍ          （２）
（式中、Ｒ1とＲ2は同一又は異なっていても良い炭素数８〜２４のアルキル基を示し、ＥＯはエチレンオキシ基、ＡＯは炭素数３もしくは４のアルキレンオキシ基である。ｍはエチレンオキサイドの平均付加モル数を示す０≦ｍ≦３の数である。ｎはアルキレンオキサイドの平均付加モル数を示す０＜ｎ≦３の数である。Ｍは陽イオンである。）
【請求項２】
前記一般式（１）で表される化合物〔化合物（１）〕及び前記一般式（２）で表される化合物〔化合物（２）〕を、下記式（α）を満たす条件で混合して得られるものである、請求項１記載の界面活性剤組成物。
【数１】
2009120664.tif 000007
【請求項３】
前記一般式（１）で表される化合物及び前記一般式（２）で表される化合物の総量中、前記一般式（１）で表される化合物の比率が２０〜９５質量％、前記一般式（２）で表される化合物の比率が５〜８０質量％である、請求項１又は２記載の界面活性剤組成物。
【請求項４】
更に、無機塩及び水を含有する、請求項１〜３の何れか１項記載の界面活性剤組成物。
【請求項５】
請求項１〜４の何れか１項記載の界面活性剤組成物を含有する洗浄剤組成物。
【請求項６】
無機塩と陰イオン界面活性剤とを含有する水溶液に、下記一般式（２）で表される化合物を添加して、当該水溶液を増粘させる方法。
Ｒ2Ｏ−（ＡＯ）nＳＯ3Ｍ          （２）
（式中、Ｒ2は炭素数８〜２４のアルキル基を示し、ＡＯは炭素数３、もしくは４のアルキレンオキシ基である。ｎはアルキレンオキサイドの平均付加モル数を示す０＜ｎ≦３の数である。Ｍは陽イオンである。）
【請求項７】
陰イオン界面活性剤が下記一般式（１）で表される化合物である、請求項６記載の方法。
Ｒ1Ｏ−（ＥＯ）mＳＯ3Ｍ          （１）
（式中、Ｒ1は炭素数８〜２４のアルキル基を示し、ＥＯはエチレンオキシ基である。ｍはエチレンオキサイドの平均付加モル数を示す０≦ｍ≦３の数である。Ｍは陽イオンである。）
【発明の詳細な説明】
【技術分野】
【０００１】
本発明は、新規な界面活性剤組成物に関し、具体的には、特定の構造を有するアルキルエーテル硫酸エステル塩を含有する界面活性剤組成物に関する。
【背景技術】
【０００２】
現在汎用的に使用されている陰イオン界面活性剤としては、アルキル硫酸エステル塩（ＡＳ）、アルキルエーテル硫酸エステル塩（ＡＥＳ）などが挙げられる。これらは食器用洗剤、シャンプー、身体洗浄料、衣料用洗剤、住居用洗剤などの家庭用のみならず、乳化重合用乳化剤、染色助剤といった化学品用途としても広く使用されている。これらの活性剤は製品配合系においては約２０質量％以下の低濃度で配合されることが一般的であるが、この濃度領域においてはＡＳ、ＡＥＳ水溶液は低粘性であるため、用途に応じて適当な粘度に調整する必要があった（特許文献１、２）。そのためこれまで数多くの増粘剤の検討がなされてきている。
【０００３】
従来、種々の界面活性剤における増粘剤としては、脂肪酸モノエタノールアミド（特許文献３）、脂肪酸ジグリコールアミド、及び脂肪酸ジエタノールアミドなどのように、皮膚や毛髪に対して刺激が少ない脂肪酸アルカノールアミドが好んで用いられていた。しかし脂肪酸モノエタノールアミドや脂肪酸ジグリコールアミドは、増粘作用には極めて優れているが、それ自体の融点が高く、このために洗浄剤や化粧料に配合する際の溶解性が悪いという欠点を有していた。特に脂肪酸モノエタノールアミドは、その配合量が多い場合や低温で保存した場合には、濁りやクスミを生じる原因となり、このためその使用量や製品形態、用途に制限があった。
【０００４】
また、陰イオン界面活性剤水溶液を増粘させる方法としては、塩化ナトリウムや硫酸ナトリウムといった無機塩を添加し、ミセルの凝集により水溶液濃度を上昇させる方法（シックニング）がある。無機塩は上記記載の増粘剤に比べ、溶解性に優れることから広く汎用的に使用されている。しかし、添加量に対しての増粘効果が低く、所望の粘度まで調整する際に多量の無機塩を添加しなければならない。多量の塩は粘度変化が生じたり、洗浄中に刺激感を覚える等の問題があった。
【特許文献１】特開昭５５−８４３９９号
【特許文献２】特開昭５６−７２０９２号
【特許文献３】特開昭６１−１１４７２７号
【発明の開示】
【発明が解決しようとする課題】
【０００５】
そこで、本発明者等は、シックニング効果に優れる、すなわち、無機塩濃度が低い場合でも優れた増粘効果を示す陰イオン界面活性剤組成物の探索を開始した。優れたシックニング効果を有する界面活性剤組成物が得られれば、洗浄成分で増粘挙動の制御が可能となり、各種製品の原料として陰イオン界面活性剤の用途を拡大することができると考えられる。
【課題を解決するための手段】
【０００６】
本発明者等は、鋭意に検討を行った結果、特定のアルキルエーテル硫酸エステル塩を含有する界面活性剤組成物が優れたシックニング効果をもたらすことができ、塩濃度を変化させずに水溶液を増粘させ、その増粘度合いをコントロールできることを見出した。更にはその有利な効果が当該界面活性剤組成物から誘導した種々の製品（例えば洗浄剤組成物）においても有利な作用効果を発現することを見出した。
【０００７】
本発明は、  下記一般式（１）及び下記一般式（２）で表される化合物を混合して得られる界面活性剤組成物に関する。
Ｒ1Ｏ−（ＥＯ）mＳＯ3Ｍ          （１）
Ｒ2Ｏ−（ＡＯ）nＳＯ3Ｍ          （２）
（式中、Ｒ1とＲ2は同一又は異なっていても良い炭素数８〜２４のアルキル基を示し、ＥＯはエチレンオキシ基、ＡＯは炭素数３もしくは４のアルキレンオキシ基である。ｍはエチレンオキサイドの平均付加モル数を示す０≦ｍ≦３の数である。ｎはアルキレンオキサイドの平均付加モル数を示す０＜ｎ≦３の数である。Ｍは陽イオンである。）
【０００８】
また、本発明は、上記本発明の界面活性剤組成物を含有する洗浄剤組成物に関する。
【０００９】
また、本発明は、無機塩と陰イオン界面活性剤とを含有する水溶液に、下記一般式（２）で表される化合物を添加して、当該水溶液を増粘させる方法に関する。
Ｒ2Ｏ−（ＡＯ）nＳＯ3Ｍ          （２）
（式中、Ｒ2は炭素数８〜２４のアルキル基を示し、ＡＯは炭素数３、もしくは４のアルキレンオキシ基である。ｎはアルキレンオキサイドの平均付加モル数を示す０＜ｎ≦３の数である。Ｍは陽イオンである。）
【発明の効果】
【００１０】
本発明の界面活性剤組成物は、無機塩に対し良好な感度を示し、シックニング効果が高い。更に無機塩濃度を変化させずに、一般式（２）の化合物の添加量により増粘挙動を制御することができる。
【発明を実施するための最良の形態】
【００１１】
本発明の界面活性剤組成物は、下記一般式（１）で表される化合物及び下記一般式（２）で表される化合物を任意の割合で混合することにより得られる。
Ｒ1Ｏ−（ＥＯ）mＳＯ3Ｍ          （１）
Ｒ2Ｏ−（ＡＯ）nＳＯ3Ｍ          （２）
（式中、Ｒ1とＲ2は同一又は異なっていても良い炭素数８〜２４のアルキル基を示し、ＥＯはエチレンオキシ基、ＡＯは炭素数３もしくは４のアルキレンオキシ基である。ｍはエチレンオキサイドの平均付加モル数を示す０≦ｍ≦３の数である。ｎはアルキレンオキサイドの平均付加モル数を示す０＜ｎ≦３の数である。Ｍは陽イオンである。）
【００１２】
ここで一般式（１）、及び（２）中のＲのアルキル基は、炭素数８〜１６が好ましく、より好ましくは炭素数１０〜１４であり、特に好ましくは炭素数１２〜１４である。さらに、起泡力、乳化力といった性能面やカーボンニュートラルという環境面から、油脂原料由来の直鎖アルキル基であることが好ましい。
【００１３】
また、一般式（１）中のｍはエチレンオキサイドの平均付加モル数を示す０≦ｍ≦３の数であり、シックニング効果の調整の利便さという理由から、好ましくは０≦ｍ≦２．５であり、より好ましくは０．１≦ｍ≦２、特に好ましくは１≦ｍ≦２である。
【００１４】
また、一般式（２）中のｎは炭素数３、もしくは４のアルキレンオキサイドの平均付加モル数であり、０＜ｎ≦３の数であるが、製造時における反応性とシックニング性能の理由から、好ましくは０．１≦ｎ≦２であり、より好ましくは０．１≦ｎ≦１．６、より好ましくは０．２≦ｎ≦１、特に好ましくは０．５≦ｎ≦１である。
【００１５】
製造時における反応性、シックニング性能、及びシックニング効果の調整の利便さを総合的に考えたとき、一般式（２）で表される化合物及び一般式（１）で表される化合物中のＡＯ、及びＥＯの平均付加モル数は、ＡＯが０．１〜２且つＥＯが０〜２．５であることが好ましく、より好ましくはＡＯが０．２〜１且つＥＯが０〜２であり、特に好ましくはＡＯが０．５〜１且つＥＯが１〜２である。
【００１６】
本発明の界面活性剤組成物は、一般式（１）の化合物と一般式（２）とを混合して得られるものであり、一般式（１）で表される化合物〔化合物（１）〕及び前記一般式（２）で表される化合物〔化合物（２）〕を、下記式（α）を満たす条件で混合して得られるものが、シックニング性能の観点から、好ましい。
【００１７】
【数２】
2009120664.tif 000002
【００１８】
ここで、式（α）は、化合物（１）と化合物（２）の総モル数に対するＡＯの平均付加モル数が０を超えて２未満であることを意味する。
【００１９】
また、一般式（１）及び一般式（２）中のＭは、塩を形成する陽イオン基であり、同一又は異なっていても良い。具体例としてはアルカリ金属イオン、アルカリ土類金属イオン、アンモニウムイオン、及びトリエタノールアンモニウムイオン等のアルカノールアンモニウムイオン等が挙げられる。アルカリ金属としてはナトリウム、カリウム、リチウムなどが、またアルカリ土類金属としてはカルシウムが挙げられるが、これらの中でナトリウム、カリウムがより好ましく、ナトリウムが特に好ましい。
【００２０】
本発明の界面活性剤組成物は、取り扱い性の観点から水溶液や含水ペーストの形で製造・使用されるが、一般式（１）で表される化合物及び下記一般式（２）で表される化合物からなるものであってもよい。さらに一般式（１）で表される化合物、下記一般式（２）で表される化合物と、水とからなるものであってもよい。
【００２１】
本発明の界面活性剤組成物に用いられる一般式（１）で表される化合物は、特に限定されるものではないが、例えば、以下の工程（Ｉ）と（II）を含む工程から製造することができる。
工程（Ｉ）：炭素数８〜２４のアルキル基を有するアルコール１モルにエチレンオキサイドを平均で０＜ｍ≦３モルの範囲で付加させる工程。
工程（II）：炭素数８〜２４のアルキル基を有するアルコール、もしくは工程（Ｉ）にて得られたアルコキシレートを硫酸化し、次いで中和する工程。
【００２２】
本発明の界面活性剤組成物に用いられる一般式（２）で表される化合物は、特に限定されるものではないが、例えば、以下の工程（Ｉ’）と（II’）を含む工程から製造することができる。
工程（Ｉ’）：炭素数８〜２４のアルキル基を有するアルコール１モルにプロピレンオキサイド、もしくはブチレンオキサイドを平均で０＜ｎ≦３モルの範囲で付加させる工程
工程（II’）：上記工程（Ｉ’）で得られたアルコキシレートを硫酸化し、次いで中和する工程。
【００２３】
工程（Ｉ）は、炭素数８〜２４のアルキル基、好ましくは直鎖アルキル基を有するアルコールにエチレンオキサイドを平均で０モル超、３モル以下の範囲で付加させる工程である。本発明で用いられるアルコールのアルキル基は炭素数８〜２４のアルキル基であるが、原料の汎用性、取り扱い性の理由から、炭素数８〜１６が好ましく、より好ましくは炭素数１０〜１４であり、特に好ましくは炭素数１２〜１４である。さらに、起泡力、乳化力といった性能の理由から、直鎖アルキル基であることが好ましい。
【００２４】
また、上記アルコール１モルに対するエチレンオキサイドの使用量は、０モル超であって３モル以下の数であるが、シックニング性能の理由から、好ましくは０．１〜２．５モルであり、より好ましくは０．５〜２モルである。
【００２５】
工程（Ｉ’）は、炭素数８〜２４のアルキル基、好ましくは直鎖アルキル基を有するアルコールにプロピレンオキサイド、もしくはブチレンオキサイドを平均で０モル超、３モル以下の範囲で付加させる工程である。本発明で用いられるアルコールのアルキル基は炭素数８〜２４のアルキル基であるが、原料の汎用性、取り扱い性の理由から、炭素数８〜１６が好ましく、より好ましくは炭素数１０〜１４であり、特に好ましくは炭素数１２〜１４である。さらに、起泡力、乳化力といった性能の理由から、直鎖アルキル基であることが好ましい。
【００２６】
また、上記アルコール１モルに対するプロピレンオキサイド、及びブチレンオキサイドの使用量は、０モル超であって３モル以下の数であるが、シックニング性能の理由から、好ましくは０．１〜２モルであり、より好ましくは０．２〜１モルである。
【００２７】
工程（Ｉ）、（Ｉ’）を実施する方法としては、従来公知の方法が使用可能である。すなわち、オートクレーブにアルコールとアルコールに対し０．５〜１モル％のＫＯＨ等を触媒として仕込み、昇温・脱水し、１１０〜１６０℃の温度で、それぞれ所定量のアルキレンオキサイドを付加反応させることにより製造できる。使用するオートクレーブには攪拌装置、温度制御装置、自動導入装置を備えられていることが望ましい。
【００２８】
工程（II）及び（II’）は、炭素数８〜２４のアルキル基、好ましくは直鎖アルキル基を有するアルコール、もしくは上記工程（Ｉ）、及び（Ｉ’）で得られたアルコキシレートを硫酸化し、次いで中和させる工程である。硫酸化の方法としては、三酸化硫黄（液体又は気体）、三酸化硫黄含有ガス、発煙硫酸、クロルスルホン酸等を用いる方法が挙げられるが、特に、廃硫酸及び廃塩酸等の発生を防止する観点から、三酸化硫黄をアルコキシレートと同時にガス状又は液状で連続的に供給する方法が好ましい。
【００２９】
硫酸化物の中和方法としては、所定量の中和剤へ硫酸化物を添加・攪拌しながら中和を行うバッチ式と、硫酸化物と中和剤を配管内へ連続的に供給し、攪拌混合機にて中和を行う連続式などが挙げられるが、本発明では中和方法に限定はない。ここで使用される中和剤としてはアルカリ金属水溶液、アンモニア水、トリエタノールアミンなどが挙げられるが、アルカリ金属水溶液が好ましく、より好ましくは水酸化ナトリウムである。
【００３０】
また、本発明の界面活性剤組成物は、上記一般式（１）で表される化合物〔化合物（１）〕と、上記一般式（２）で表される化合物〔化合物（２）〕とを、合計で、５〜８０質量％、更に５〜３０質量％、特に１０〜２５質量％含有することが好ましい。
【００３１】
また、本発明の界面活性剤組成物は、化合物（１）及び化合物（２）の総量中、化合物（１）の比率が２０〜９５質量％、更に３０〜８０質量％、特に５０〜８０質量％、また、化合物（２）の比率が５〜８０質量％、更に２０〜７０質量％、特に２０〜５０質量％であることが好ましい。
【００３２】
なお、本発明の界面活性剤組成物は、無機塩を含有することもできる。具体的には、化合物（１）及び化合物（２）を合計で５〜２７質量％、塩酸、臭化水素酸、硫酸、硝酸、炭酸、リン酸等のアルカリ金属塩から選ばれる一種以上の無機塩を１〜３質量％、好ましくは１〜２質量％、及び水を含有し、３０℃における粘度が１０〜３０００ｍＰａ・ｓである界面活性剤組成物が提供される。この粘度は、後述の実施例の条件で測定されたものである。
【００３３】
本発明の界面活性剤組成物は、実質的に、上記一般式（１）で示される化合物、上記一般式（２）で示される化合物、無機塩、及び水からなるものであってもよい。ここで、「実質的」とは、上記化合物４成分を９０〜１００質量％含む状態を意味する。
【００３４】
本発明の界面活性剤組成物の一例として、下記（Ａ）、（Ｂ）の混合物は無機塩濃度が低い場合でも、良好なシックニング効果を得ることが出来、かつ（Ｂ）の配合量を調整することにより増粘挙動をコントロールすることが可能である。
（Ａ）炭素数１２／炭素数１４混合アルコール１モルに対し、エチレンオキサイドを平均で０〜２．５モル付加させたアルコキシレートを硫酸化／中和して得られるアルキル硫酸エステル塩。
（Ｂ）炭素数１２／炭素数１４混合アルコール１モルに対し、プロピレンオキサイドを平均で０．１〜２モル付加させたアルコキシレートを硫酸化／中和して得られるアルキル硫酸エステル塩。
【００３５】
本発明は、化合物（１）と化合物（２）とを、下記式（α）を満たすように混合する、界面活性剤組成物の製造方法も包含する。
【００３６】
【数３】
2009120664.tif 000003
【００３７】
＜洗浄剤組成物＞
本発明の界面活性剤組成物は、増粘効果に優れるという特徴を有することから、その用途や目的に応じて、洗浄剤組成物、化粧料組成物などの各種の製品に配合することができる。特に、増粘効果を訴求したい洗浄剤組成物において有効である。洗浄剤組成物としては、身体用（毛髪用を含む）洗浄剤組成物、衣料用洗浄剤組成物、硬質表面用洗浄剤組成物等が挙げられる。
【００３８】
洗浄剤組成物中の本発明の界面活性剤組成物の含有量は、化合物（１）及び（２）の合計含有量として、好ましくは０．５〜２７質量％、より好ましくは１〜２５質量％、更に好ましくは５〜２５質量％、特に好ましくは５〜２０質量％である。
【００３９】
洗浄剤組成物には、本発明の界面活性剤組成物の他に、この分野において通常用いられる界面活性剤、粘度調整剤、増泡剤、アルカリ剤、金属封鎖剤、防腐剤、香料、色素、無機塩などを配合することができる。無機塩は、塩酸、臭化水素酸、硫酸、硝酸、炭酸、リン酸等のアルカリ金属塩から選ばれる一種以上の無機塩が好ましく、中でも塩酸のアルカリ金属塩、例えば、塩化ナトリウムなどがより好ましい。また、無機塩の含有量は洗浄剤組成物中、１〜３質量％、特に１〜２質量％が好ましい。
【００４０】
本発明の洗浄剤組成物や本発明の界面活性剤組成物の無機塩としては、塩化ナトリウム、塩化カリウム、臭化ナトリウム、硫酸ナトリウム、硝酸ナトリウム、炭酸ナトリウム、リン酸一水素ナトリウム、リン酸二水素ナトリウムなどが例示されるが、好ましくは塩化ナトリウム、塩化カリウム、硫酸ナトリウム、炭酸ナトリウムであり、より好ましくは塩化ナトリウム、硫酸ナトリウムである。
【００４１】
＜陰イオン界面活性剤水溶液の増粘方法＞
本発明によれば、無機塩と陰イオン界面活性剤とを含有する水溶液に、上記一般式（２）で表される化合物を添加して、当該水溶液を増粘させる方法が提供される。この方法の対象となるアニオン界面活性剤としては、アルキル硫酸エステル塩（ＡＳ）、アルキルエーテル硫酸エステル塩（ＡＥＳ）などのアルコール系のアニオン界面活性剤が挙げられる。また、この方法の対象となる水溶液は、上記一般式（２）で表される化合物の添加前の粘度（初期粘度）が１０〜３０００ｍＰａ・ｓ（３０℃）であるものが挙げられ、この粘度となるように陰イオン界面活性剤と無機塩を含有することが好ましい。無機塩は上記で述べたものが用いられる。上記一般式（２）で表される化合物を添加することで、初期粘度が２００〜４０００％増加することが好ましく、一般式（２）の化合物の添加量はこれを満たすような量が好ましい。
【実施例】
【００４２】
実施例１及び比較例１
平均ＰＯ付加モル数が１モルであるアルキル（炭素数１２／１４＝７２質量％／２８質量％）エーテル硫酸エステルナトリウム〔界面活性剤（２−１）〕に、平均ＥＯ付加モル数が２モルであるアルキル（炭素数１２／１４＝７５質量％／２５質量％）エーテル硫酸エステルナトリウム〔界面活性剤（１−１）〕を表１の比率で混合し、さらに塩化ナトリウム、イオン交換水を添加し、総界面活性剤濃度が２０質量％、塩化ナトリウム濃度が１．５質量％の評価サンプルを調製した。得られた評価サンプルの粘度をＢ型粘度計にて測定した。測定条件を下記に示す。評価サンプル組成、及び粘度測定結果を表１に示す。
（測定条件）
・粘度測定機器：Ｂ型粘度計、ＴＯＫＩＭＥＣ社「ＤＶＬ−Ｂ II」
・サンプル温度：３０℃
・測定時間：９０秒間
・ロータＮｏ．：１〜４
・回転数：３０ｒｐｍ
【００４３】
【表１】
2009120664.tif 000004
【００４４】
実施例２
平均ＰＯ付加モル数が２モルであるアルキル（炭素数１２／１４＝７２質量％／２８質量％）硫酸エステルナトリウム〔界面活性剤（２−２）〕に、平均ＥＯ付加モル数が２モルであるアルキル（炭素数１２／１４＝７５質量％／２５質量％）エーテル硫酸エステルナトリウム〔界面活性剤（１−１）〕を表１の比率で混合し、さらに塩化ナトリウム、イオン交換水を添加し、総界面活性剤濃度が２０質量％、塩化ナトリウム濃度が１．５質量％の評価サンプルを調整した。得られた評価サンプルの粘度を実施例１と同様条件でＢ型粘度計にて測定した。測定結果を表２に示す。
【００４５】
【表２】
2009120664.tif 000005
【００４６】
実施例３及び比較例３
平均ＰＯ付加モル数が１モルであるアルキル（炭素数１２／１４＝７２質量％／２８質量％）エーテル硫酸エステルナトリウム〔界面活性剤（２−１）〕に、アルキル（炭素数１２／１４＝７２質量％／２８質量％）硫酸エステルナトリウム〔界面活性剤（１−２）〕を表１の比率で混合し、さらに塩化ナトリウム、イオン交換水を添加し、総界面活性剤濃度が２０質量％、塩化ナトリウム濃度が１．５質量％の評価サンプルを調整した。得られた評価サンプルの粘度を実施例１と同様条件でＢ型粘度計にて測定した。測定結果を表３に示す。
【００４７】
【表３】
2009120664.tif 000006
【００４８】
表１〜３から明らかなように、上記一般式（２）で表される化合物はシックニング効果が大きく、シックニング効果の小さい陰イオン界面活性剤水溶液粘度を増加させることができ、かつ上記一般式（２）で表される化合物の添加量を変えることで、水溶液の増粘挙動を制御することができる。